(57)【要約】【課題】４つの位置決め用の突起を備えるドラムカートリッジにおいて、設計の自由度を高めることを目的とする。【解決手段】ドラムカートリッジ３は、当該ドラムカートリッジ３を本体筐体４に位置決めするための第１突起７１、第２突起７２、第３突起７３および第４突起７４を備え、本体筐体４に着脱可能となっている。ドラムカートリッジ３は、感光ドラム５と、感光ドラム５の軸方向の一端部を支持する第１壁６１と、感光ドラム５の軸方向の他端部を支持する第２壁６２を備える。第１突起７１および第３突起７３は、第１壁６１から軸方向の外側に向けて突出する。第２突起７２および第４突起７４は、第２壁６２から軸方向の外側に向けて突出する。第２突起７２は、第１突起７１と同軸に配置される。第４突起７４は、第３突起７３に対して軸方向に直交した直交方向にずれた位置に配置される。【選択図】図２
2018055060.tif 000002
【特許請求の範囲】
【請求項１】
ドラムカートリッジを本体筐体に位置決めするための第１突起、第２突起、第３突起および第４突起を備えた、前記本体筐体に着脱可能なドラムカートリッジであって、
感光ドラムと、
前記感光ドラムの軸方向の一端部を支持する第１壁と、
前記感光ドラムの軸方向の他端部を支持する第２壁と、を備え、
前記第１突起および前記第３突起は、前記第１壁から前記軸方向の外側に向けて突出し、
前記第２突起および前記第４突起は、前記第２壁から前記軸方向の外側に向けて突出し、
前記第２突起は、前記第１突起と同軸に配置され、
前記第４突起は、前記第３突起に対して前記軸方向に直交した直交方向にずれた位置に配置されていることを特徴とするドラムカートリッジ。
【請求項２】
前記第３突起から前記感光ドラムまでの距離が、前記第４突起から前記感光ドラムまでの距離とは異なることを特徴とする請求項１に記載のドラムカートリッジ。
【請求項３】
前記第３突起から前記感光ドラムへ向かう第１方向と前記軸方向とに直交する第２方向において、前記第３突起と前記第４突起がそれぞれ異なる位置に配置されていることを特徴とする請求項２に記載のドラムカートリッジ。
【請求項４】
前記第２方向における前記第３突起から前記第４突起までの距離は、０．５ｍｍ以上２０ｍｍ未満であることを特徴とする請求項３に記載のドラムカートリッジ。
【請求項５】
前記第３突起の直径と前記第４突起の直径が異なることを特徴とする請求項１から請求項４のいずれか１項に記載のドラムカートリッジ。
【請求項６】
前記第３突起および前記第４突起のうち少なくとも一方は、前記軸方向から見て、直線と円弧を含んでなるＤ形状となっていることを特徴とする請求項１から請求項５のいずれか１項に記載のドラムカートリッジ。
【請求項７】
現像ローラを有するとともに前記ドラムカートリッジに着脱可能な現像カートリッジを、前記ドラムカートリッジにロックするためのロックレバーを備え、
前記第３突起は、前記Ｄ形状であり、
前記軸方向における前記ロックレバーと前記第３突起との距離は、前記軸方向における前記ロックレバーと前記第４突起との距離よりも小さいことを特徴とする請求項６に記載のドラムカートリッジ。
【請求項８】
前記現像カートリッジが前記ドラムカートリッジに装着されているときに、前記現像カートリッジを前記感光ドラムに向けて押圧する第１押圧部材および第２押圧部材を備え、
前記第１押圧部材から前記感光ドラムまでの距離が、前記第２押圧部材から前記感光ドラムまでの距離とは異なることを特徴とする請求項７に記載のドラムカートリッジ。
【請求項９】
前記第３突起から前記感光ドラムへ向かう第１方向と前記軸方向とに直交する第２方向において、前記第１押圧部材と前記第２押圧部材がそれぞれ異なる位置に配置されていることを特徴とする請求項８に記載のドラムカートリッジ。
【請求項１０】
前記現像カートリッジが前記ドラムカートリッジに装着されているときに、前記現像カートリッジの現像ローラとは反対側の端部を支持する第１ドラム側支持部および第２ドラム側支持部を備え、
前記第１ドラム側支持部から前記感光ドラムまでの距離が、前記第２ドラム側支持部から前記感光ドラムまでの距離とは異なることを特徴とする請求項７から請求項９のいずれか１項に記載のドラムカートリッジ。
【請求項１１】
前記第３突起から前記感光ドラムへ向かう第１方向と前記軸方向とに直交する第２方向において、前記第１ドラム側支持部と前記第２ドラム側支持部がそれぞれ異なる位置に配置されていることを特徴とする請求項１０に記載のドラムカートリッジ。
【発明の詳細な説明】
【技術分野】
【０００１】
本発明は、本体筐体に着脱可能なドラムカートリッジに関する。
【背景技術】
【０００２】
従来、ドラムカートリッジとして、感光ドラムと、感光ドラムを支持するドラムフレームと、ドラムフレームの感光ドラム側に設けられる左右一対の前側突起と、ドラムフレームの感光ドラムとは反対側に設けられる左右一対の後側突起とを備えたものが知られている（特許文献１参照）。左右の前側突起は、互いに同軸に配置され、左右の後側突起も、互いに同軸に配置されている。
【先行技術文献】
【特許文献】
【０００３】
【特許文献１】特開２０１３−５４０６０号公報
【発明の概要】
【発明が解決しようとする課題】
【０００４】
しかしながら、従来技術では、左右の前側突起および左右の後側突起をそれぞれ同軸に配置するため、設計の自由度が制限されるおそれがあった。
【０００５】
そこで、本発明は、４つの位置決め用の突起を備えるドラムカートリッジにおいて、設計の自由度を高めることを目的とする。
【課題を解決するための手段】
【０００６】
前記課題を解決するため、本発明に係るドラムカートリッジは、当該ドラムカートリッジを本体筐体に位置決めするための第１突起、第２突起、第３突起および第４突起を備え、前記本体筐体に着脱可能となっている。
ドラムカートリッジは、感光ドラムと、前記感光ドラムの軸方向の一端部を支持する第１壁と、前記感光ドラムの軸方向の他端部を支持する第２壁と、を備える。
前記第１突起および前記第３突起は、前記第１壁から前記軸方向の外側に向けて突出する。
前記第２突起および前記第４突起は、前記第２壁から前記軸方向の外側に向けて突出する。
前記第２突起は、前記第１突起と同軸に配置される。
前記第４突起は、前記第３突起に対して前記軸方向に直交した直交方向にずれた位置に配置される。
【０００７】
この構成によれば、第３突起と第４突起の配置を自由に行うことができるので、設計の自由度を高めることができる。
【発明の効果】
【０００８】
本発明によれば、４つの位置決め用の突起を備えるドラムカートリッジにおいて、設計の自由度を高めることができる。
【図面の簡単な説明】
【０００９】
【図１】本発明の実施形態に係るドラムカートリッジを備えたプロセスカートリッジを分解して示す斜視図である。
【図２】ドラムカートリッジと現像カートリッジを上側から見た平面図である。
【図３】本体筐体に装着されたドラムカートリッジを示す側面図である。
【図４】第１変形例に係るドラムカートリッジを示す側面図である。
【図５】第２変形例に係るドラムカートリッジを示す側面図である。
【図６】第３変形例に係るドラムカートリッジを示す平面図（ａ）と側面図（ｂ）である。
【図７】第４変形例に係るドラムカートリッジおよび現像カートリッジを示す平面図である。
【図８】図７の現像カートリッジと押圧部材等との関係を示す図である。
【図９】第５変形例に係る押圧部材等と現像カートリッジとの関係を示す図である。
【図１０】第６変形例に係る押圧部材等と現像カートリッジとの関係を示す図である。
【発明を実施するための形態】
【００１０】
次に、本発明の実施形態について、適宜図面を参照しながら詳細に説明する。
図１に示すように、プロセスカートリッジ１は、現像カートリッジ２と、ドラムカートリッジ３とを備えている。プロセスカートリッジ１は、画像形成装置の本体筐体４（図３参照）に着脱可能となっている。
【００１１】
現像カートリッジ２は、ドラムカートリッジ３に着脱可能となっている。現像カートリッジ２は、内部にトナーを収容している。現像カートリッジ２は、トナーを担持する、回転可能な現像ローラ２１を備えている。
【００１２】
ドラムカートリッジ３は、本体筐体４（図３参照）に着脱可能となっている。ドラムカートリッジ３は、感光ドラム５と、樹脂からなるドラムフレーム６とを備えている。
【００１３】
感光ドラム５は、円筒状の部材であり、ドラムフレーム６に回転可能に支持されている。感光ドラム５は、図示せぬ帯電器によって帯電されることで、その表面に静電潜像を形成することが可能となっている。感光ドラム５は、軸方向に延びる軸Ａ１を中心として回転可能である。感光ドラム５は、軸Ａ１に沿って延びる。なお、軸Ａ１は、仮想の軸である。より詳細には、軸Ａ１は、感光ドラム５が延びる方向に沿って延びる仮想の軸である。
【００１４】
ドラムフレーム６は、感光ドラム５の軸方向において対向する第１壁６１および第２壁６２と、軸方向に直交する第１方向において対向する第３壁６３および第４壁６４と、第１方向および軸方向に直交する第２方向における各壁６１〜６４の一端側に配置される底壁６５とを有している。ここで、第１方向は、軸方向から見て、後述する第３突起７３から感光ドラム５へ向かう方向に相当する。
【００１５】
なお、以下の説明では、感光ドラム５の軸方向を、「左右方向」とも称する。また、軸方向の一方側を、「左側」とも称する。さらに、軸方向の他方側を、「右側」とも称する。
【００１６】
また、第１方向を、「前後方向」とも称する。そして、第１方向の一方側を、「前側」とも称する。また、第１方向の他方側を、「後側」とも称する。
【００１７】
また、軸方向および第１方向に直交する第２方向を、「上下方向」とも称する。そして、第２方向の一方側を、「上側」とも称する。また、第１方向の他方側を、「下側」とも称する。
【００１８】
第１壁６１は、軸方向において、１ｍｍ〜１５ｍｍの厚さを有する壁である。第１壁６１は、底壁６５の左側の端部から上側に向けて突出している。第１壁６１の前側の端部は、感光ドラム５の左側の端部（軸方向の一端部）を支持している。
【００１９】
第２壁６２は、軸方向において、１ｍｍ〜１５ｍｍの厚さを有する壁である。第２壁６２は、底壁６５の右側の端部から上側に向けて突出している。第２壁６２の前側の端部は、感光ドラム５の右側の端部（軸方向の他端部）を支持している。
【００２０】
第３壁６３は、底壁６５の前側の端部から上側に向けて突出している。第３壁６３は、第１壁６１および第２壁６２の前側の各端部を連結している。第３壁６３の上側の端部には、後側に向けて延びる上壁６６が形成されている。なお、上壁６６には、図示せぬ帯電器が設けられている。
【００２１】
第４壁６４は、底壁６５の後側の端部から上側に向けて突出している。第４壁６４は、第１壁６１および第２壁６２の後側の各端部を連結している。
【００２２】
そして、第１壁６１、第２壁６２、第４壁６４および感光ドラム５で囲まれた空間が、現像カートリッジ２を収容するための空間となっている。
【００２３】
図１および図２に示すように、ドラムフレーム６は、ドラムカートリッジ３を本体筐体４に位置決めするための第１突起７１、第２突起７２、第３突起７３および第４突起７４を備えている。第１突起７１および第２突起７２は、それぞれ中空の円柱状に形成され、第３突起７３および第４突起７４は、それぞれ円柱状に形成されている。第１突起７１および第２突起７２は、それぞれ同じ径で形成されている。第３突起７３および第４突起７４は、それぞれ同じ径であり、第１突起７１よりも小さな径で形成されている。
【００２４】
第１突起７１および第３突起７３は、第１壁６１から左右方向の外側に向けて突出している。第２突起７２および第４突起７４は、第２壁６２から左右方向の外側に向けて突出している。
【００２５】
第２突起７２は、第１突起７１と同軸に配置されている。詳しくは、第１突起７１および第２突起７２は、感光ドラム５と同軸に配置されている。ここで、同軸とは、左右方向に沿った直線が、各部材の中心を通っている状態をいう。具体的に、本実施形態では、感光ドラム５の中心を通る直線（軸Ａ１）が、第１突起７１の中心と、第２突起７２の中心とを通っている。第１突起７１および第２突起７２は、軸方向から見て、同じ大きさの円である。第１突起７１の外周面と第２突起７２の外周面は、軸方向から見て、重なる。第１突起７１および第２突起７２は、軸方向から見て、それぞれ外周面の同じ部分で画像形成装置の本体筐体４に位置決めされる。なお、第１突起７１および第２突起７２は、感光ドラム５の端部を支持する軸受けとしての機能を有していてもよい。
【００２６】
第４突起７４は、第３突起７３に対して前後方向にずれた位置に配置されている。詳しくは、第４突起７４は、第３突起７３よりも前側に配置されている。これにより、第３突起７３から感光ドラム５までの距離Ｌ１が、第４突起７４から感光ドラム５までの距離Ｌ２よりも大きくなっている。
【００２７】
底壁６５には、第１押圧部材８１および第２押圧部材８２と、第１ドラム側支持部９１および第２ドラム側支持部９２が設けられている。第１押圧部材８１および第２押圧部材８２は、現像カートリッジ２がドラムカートリッジ３に装着されているときに押圧バネ８３，８４によって付勢されることで、現像カートリッジ２を感光ドラム５に向けて押圧する部材である。
【００２８】
押圧バネ８３は、伸縮方向において一端と他端とを有し、押圧ばね８３の一端は第４壁６４または底壁６５に取り付けられ、押圧ばね８３の他端は第１押圧部材８１に取り付けられている。また、押圧バネ８４は、伸縮方向において一端と他端とを有し、押圧ばね８４の一端は第４壁６４または底壁６５に取り付けられ、押圧ばね８４の他端は第２押圧部材８２に取り付けられている。また、第１押圧部材８１および第２押圧部材８２は、それぞれドラムフレーム６の左右方向の中央を基準にして左右対称に配置されている。言い換えると、第１押圧部材８１および第２押圧部材８２は、前後方向および上下方向において同じ位置に配置されている。
【００２９】
第１ドラム側支持部９１および第２ドラム側支持部９２は、現像カートリッジ２がドラムカートリッジ３に装着されているときに、現像カートリッジ２の後側の端部（現像ローラ２１とは反対側の端部）を支持する部位である。第１ドラム側支持部９１および第２ドラム側支持部９２は、底壁６５から上側に突出するように形成されている。第１ドラム側支持部９１および第２ドラム側支持部９２は、それぞれドラムフレーム６の左右方向の中央を基準にして左右対称に配置されている。言い換えると、第１ドラム側支持部９１および第２ドラム側支持部９２は、前後方向および上下方向において同じ位置に配置されている。
【００３０】
次に、ドラムカートリッジ３を本体筐体４に装着する際における各突起７１〜７４の作用効果について説明する。
図３に示すように、ドラムカートリッジ３を本体筐体４に装着していくと、第１突起７１および第２突起７２が本体筐体４のガイド溝４１の端部に接触することで、それ以上の移動が規制される。この状態において、ドラムカートリッジ３は、第１突起７１を中心に回動可能であるが、第３突起７３および第４突起７４がガイド溝４１の入り口側の部分（ガイド面）に接触することで、回動が規制される。これにより、ドラムカートリッジ３が本体筐体４に対して位置決めされる。
【００３１】
以上によれば、本実施形態において以下のような効果を得ることができる。
第３突起７３と第４突起７４を同軸に配置する必要がないので、第３突起７３と第４突起７４の配置を自由に行うことができ、設計の自由度を高めることができる。
【００３２】
なお、本発明は前記実施形態に限定されることなく、以下に例示するように様々な形態で利用できる。以下の説明においては、前記実施形態と略同様の構造となる部材には同一の符号を付し、その説明は省略する。
【００３３】
前記実施形態では、第３突起７３から感光ドラム５までの距離Ｌ１を、第４突起７４から感光ドラム５までの距離Ｌ２よりも大きくしたが、本発明はこれに限定されず、距離Ｌ１，Ｌ２は異なる値であればよい。つまり、距離Ｌ１が距離Ｌ２よりも小さくなるように各突起７３，７４を配置してもよい。
【００３４】
前記実施形態では、第４突起７４を第３突起７３に対して前後方向にずらしたが、本発明はこれに限定されず、第４突起７４は、第３突起７３に対して軸方向に直交した直交方向にずれた位置に配置されていればよい。例えば、図４に示すように、第３突起７３と第４突起７４を、上下方向においてそれぞれ異なる位置に配置してもよい。
【００３５】
この場合、上下方向における第３突起７３から第４突起７４までの距離は、０．５ｍｍ以上２０ｍｍ未満とすることができる。なお、上下方向における第３突起７３から第４突起７４までの距離は、１ｍｍ以上５ｍｍ未満であってもよく、例えば２．９ｍｍとすることができる。
【００３６】
前記実施形態では、第３突起７３の直径と第４突起７４の直径を同じ値としたが、本発明はこれに限定されず、図５に示すように、第３突起７３の直径と第４突起７４の直径を異なる値としてもよい。なお、図５では、第３突起７３の直径を第４突起７４よりも大きくしているが、これとは逆に、第４突起７４の直径を第３突起７３よりも大きくしてもよい。
【００３７】
前記実施形態では、第３突起７３および第４突起７４をそれぞれ円柱形状としたが、本発明はこれに限定されず、第３突起７３および第４突起７４のうち少なくとも一方が、軸方向から見て、直線と円弧を含んでなるＤ形状となっていてもよい。具体的には、例えば図６（ａ），（ｂ）に示すように、第３突起７３をＤ形状とし、第４突起７４を円柱形状としてもよい。なお、この図６の形態では、第１壁６１を感光ドラム５の右側に配置し、第２壁６２を感光ドラム５の左側に配置している。また、これに伴い、第１突起７１および第３突起７３を感光ドラム５の右側に配置し、第２突起７２および第４突起７４を感光ドラム５の左側に配置している。
【００３８】
前述したように第３突起７３をＤ形状とすることは、図示のように、第３突起７３が設けられる第１壁６１に、現像カートリッジ２をドラムカートリッジ３にロックするためのロックレバー１００を設ける場合に特に有効となる。以下に、図６の形態について具体的に説明する。
【００３９】
ロックレバー１００は、第１壁６１に対して左右方向内側に隣接して配置されている。これにより、左右方向におけるロックレバー１００（詳しくは、後述するフック部１２０）と第３突起７３との距離Ｌ３が、左右方向におけるロックレバー１００（詳しくは、後述するフック部１２０）と第４突起７４との距離Ｌ４よりも小さくなっている。
【００４０】
ロックレバー１００は、樹脂からなり、第１壁６１に回動可能に支持される回動中心部１１０と、回動中心部１１０から上側に向けて突出する鉤型のフック部１２０と、回動中心部１１０から前側および下側に向けて斜めに延びる延出部１３０とを有している。ロックレバー１００は、図示せぬバネによって図示時計回りに付勢されている。これにより、現像カートリッジ２をドラムカートリッジ３に装着した状態において、フック部１２０が現像カートリッジ２に付勢されて、現像カートリッジ２がドラムカートリッジ３にロックされるようになっている。また、このようなロック状態から、ロックレバー１００をバネの付勢力に抗して回動させると、フック部１２０が現像カートリッジ２から離れるとともに、延出部１３０によって現像カートリッジ２を持ち上げることが可能となっている。
【００４１】
回動中心部１１０は、左右方向外側に突出する回動軸部１１１を有している。第１壁６１には、当該第１壁６１から左右方向外側に突出する軸受部６１Ａが設けられている。軸受部６１Ａは、回動軸部１１１を回動可能に支持する凹部を有している。
【００４２】
第３突起７３は、軸方向から見て直線状となる平面部７３Ａと、軸方向から見て円弧状となる曲面部７３Ｂとを有している。平面部７３Ａは、上下方向に直交する面であり、曲面部７３Ｂの上側に配置されている。言い換えると、平面部７３Ａは、曲面部７３Ｂよりもロックレバー１００の回動軸部１１１に近い位置に配置されている。曲面部７３Ｂは、図示せぬ本体筐体のガイド部に接触する部位であり、本体筐体のガイド部に接触することで位置決めされている。
【００４３】
以上、この形態によれば、平面部７３Ａが曲面部７３Ｂよりもロックレバー１００の回動軸部１１１の近くに配置されているので、例えば第３突起７３が円柱状に形成される形態に比べ、本体筐体のガイド部に接触する部分（曲面部７３Ｂの一部）の位置を、所望の位置に配置することができる。ここで、この形態において第３突起７３が円柱状である場合には、第３突起７３と軸受部６１Ａとの重なりを避けるべく、第３突起７３の中心を図の位置よりも下側に下げなければならない。この場合、第３突起７３のうち本体筐体のガイド部に接触する部分も、図の位置よりも下側に下がるため、所望の位置に配置できない場合があるが、この形態では、このような問題を解決することができる。
【００４４】
前記実施形態では、第１押圧部材８１および第２押圧部材８２を、前後方向および上下方向において同じ位置に配置したが、本発明はこれに限定されるものではない。例えば、図７および図８に示すように、第１押圧部材８１と第２押圧部材８２とを前後方向にずらして配置してもよい。言い換えると、第１押圧部材８１から感光ドラム５までの距離Ｌ５を、第２押圧部材８２から感光ドラム５までの距離Ｌ６とは異なる値としてもよい。なお、この形態において、押圧バネ８３，８４は、それぞれ各押圧部材８１，８２に対応するように、前後方向にずらして配置すればよい。また、現像カートリッジ２のうち各押圧部材８１，８２で押圧される各被押圧部２２，２３も、同様に、各押圧部材８１，８２に対応するように、前後方向にずらして配置すればよい。
【００４５】
また、同様に、図７および図８に示すように、第１ドラム側支持部９１および第２ドラム側支持部９２を前後方向にずらして配置してもよい。言い換えると、第１ドラム側支持部９１から感光ドラム５までの距離Ｌ７を、第２ドラム側支持部９２から感光ドラム５までの距離Ｌ８とは異なる値としてもよい。なお、図８においては、各ドラム側支持部９１，９２を区別しやすくするために、第２ドラム側支持部９２を破線で図示している。
【００４６】
このように各押圧部材８１，８２と各ドラム側支持部９１，９２とをともに前後方向にずらす場合には、第１押圧部材８１と第１ドラム側支持部９１との間隔は、第２押圧部材８２と第２ドラム側支持部９２との間隔と同じ値とするのがよい。これによれば、左右の押圧部材８１，８２によって現像カートリッジ２を押圧する際に、現像カートリッジ２が左右に傾くことを抑制することができる。
【００４７】
また、図９に示すように、上下方向において、第１押圧部材８１と第２押圧部材８２とを、それぞれ異なる位置に配置してもよい。また、同様に、上下方向において、第１ドラム側支持部９１と第２ドラム側支持部９２を、それぞれ異なる位置に配置してもよい。なお、この場合には、各被押圧部２２，２３を、各押圧部材８１，８２に対応するように、上下方向にずらして配置すればよい。
【００４８】
また、図１０に示すように、左右の被押圧部２２，２３のうち一方の被押圧部２３の直径を、他方の被押圧部２２の直径よりも大きくしてもよい。なお、この場合には、左右の被押圧部２２，２３の直径に応じて、左右の押圧部材８１，８２を前後方向にずらして配置すればよい。また、左右の押圧部材８１，８２の位置に対応するように、左右のドラム側支持部９１，９２を前後方向にずらして配置してもよい。つまり、図に示すように、左側の第１押圧部材８１を右側の第２押圧部材８２よりも前側に配置した場合には、左側の第１ドラム側支持部９１を右側の第２ドラム側支持部９２よりも前側に配置してもよい。
【００４９】
前記実施形態では、第２突起７２を第１突起７１と同軸に配置、詳しくは、第１突起７１および第２突起７２を、感光ドラム５と同軸に配置することで、以下に示す比較例に対して格別な効果を奏する。比較例としては、例えば、第１突起と第２突起とを軸方向に直交する直交方向においてずれた位置に配置した構造が考えられる。ここで、通常、感光ドラムは、円筒形状であるから、第１突起と第２突起を直交方向でずらすのは設計がし難いという問題がある。これに対し、前記実施形態では、第１突起と第２突起を同軸に配置することで、円筒状の感光ドラムに対して、第１突起と第２突起を容易に配置することができ、設計が容易になる。
【００５０】
前記実施形態では、第１突起７１および第２突起７２は、それぞれ中空の円柱形状であったが、本発明はこれに限定されず、第１突起および第２突起のうち位置決めに関与する部分が円弧形状であればよく、位置決めに関与しない部分は、中空の円柱形状であった場合と比較して、外周面内において切欠きがあっても、突出部分があってもよい。
【００５１】
前記実施形態では、第３突起７３および第４突起７４は、それぞれ円柱状に形成されていたが、多角柱形状であってもよい。第３突起７３および第４突起７４の角の数は、多い方がより好ましい。つまり、第３突起７３および第４突起７４の断面形状は、例えば、三角形、四角形よりも、五角形、六角形が好ましい。つまり、第３突起７３および第４突起７４は、円柱状に近い、多角柱形状ほど好ましい。
【００５２】
なお、第３突起７３および第４突起７４を多角柱形状とした場合には、多角柱の面と本体筐体のガイド面とが、ずれなく接触するには、多角柱形状である第３突起７３および第４突起７４に高い加工精度が求められる。そのため、第３突起７３および第４突起７４を多角柱形状とした場合には、第３突起７３および第４突起７４の角をガイド面に接触させるのが好ましい。第３突起７３および第４突起７４の角をガイド面に接触させるだけであれば、高い加工精度は要求されない。
【００５３】
また、前記した実施形態および変形例で説明した各要素を、任意に組み合わせて実施してもよい。
【符号の説明】
【００５４】
３      ドラムカートリッジ
４      本体筐体
５      感光ドラム
６１    第１壁
６２    第２壁
７１    第１突起
７２    第２突起
７３    第３突起
７４    第４突起
【図１】
2018055060.tif 000003
【図２】
2018055060.tif 000004
【図３】
2018055060.tif 000005
【図４】
2018055060.tif 000006
【図５】
2018055060.tif 000007
【図６】
2018055060.tif 000008
【図７】
2018055060.tif 000009
【図８】
2018055060.tif 000010
【図９】
2018055060.tif 000011
【図１０】
2018055060.tif 000012